(57)【要約】【課題】光送信ユニットと光受信ユニットの間の伝送が遮断されてもディスプレイ側の再生音が途切れることを防止する。【解決手段】送信ユニット１００は、バックアップ用の通信路としてシリアル音声信号を拡散発光する。受信ユニット側の光受信手段２０１ａは送信ユニット１００側の光送信手段１０４からの受信があるかないかを示すキャリアセンス出力を持ち、音声切り替え手段２０８は光受信手段のキャリアセンスにより、映像音声分離手段２０２により分離されたシリアル音声信号又は拡散光受信手段２０７の音声データに切り替える。【選択図】        図５
2004159234.tif 000002
【特許請求の範囲】
【請求項１】
ディスプレイ側に設けられた光受信ユニットと、この光受信ユニットに対して前記ディスプレイが出力するための映像及び音声信号を送信する光送信ユニットとを備えた光無線映像伝送システムであって、
前記光送信ユニットは、前記映像及び音声信号を指向角度の狭い光無線で送信する光送信手段と、前記音声信号をバックアップして送信するバックアップ音声送信手段とを、
有し、
前記光受信ユニットは、前記光送信手段から送信された光無線信号を受信する光受信手段と、前記バックアップ音声送信手段から送信された音声信号を受信するバックアップ音声受信手段と、前記光送信手段から送信された光無線信号が遮断されたか否かを判断して、遮断されていない場合に音声出力を前記光受信手段により受信された音声信号に切り替え、遮断されている場合に音声出力を前記バックアップ音声手段により受信された音声信号に切り替える手段とを有し、
前記バックアップ音声送信手段は、バックアップ音声信号を前記光送信手段より広い指向角度の光無線で送信し、前記バックアップ音声受信手段は、前記広い指向角度で送信された光無線信号を受信するよう構成されている光無線映像伝送システム。
【請求項２】
ディスプレイ側に設けられた光受信ユニットと、この光受信ユニットに対して前記ディスプレイが出力するための映像及び音声信号を送信する光送信ユニットとを備えた光無線映像伝送システムであって、
前記光送信ユニットは、前記映像及び音声信号を光無線で送信する光送信手段と、前記音声信号をバックアップして送信するバックアップ音声送信手段とを、
有し、
前記光受信ユニットは、前記光送信手段から送信された光無線信号を受信する光受信手段と、前記バックアップ音声送信手段から送信された音声信号を受信するバックアップ音声受信手段と、前記光送信手段から送信された光無線信号が遮断されたか否かを判断して、遮断されていない場合に音声出力を前記光受信手段により受信された音声信号に切り替え、遮断されている場合に音声出力を前記バックアップ音声手段により受信された音声信号に切り替える手段とを有し、
前記バックアップ音声送信手段は、バックアップ音声信号を電波で送信し、前記バックアップ音声受信手段は、前記電波信号を受信するよう構成されている光無線映像伝送システム。
【発明の詳細な説明】
【０００１】
【発明の属する技術分野】
本発明は、ディスプレイ側に設けられた光受信ユニットに対して、ディスプレイが出力するための映像及び音声信号を光送信ユニットに送信する光無線映像伝送システムに関する。
【０００２】
【従来の技術】
近年、液晶ディスプレイやプラズマディスプレイに代表されるように大型で、しかも薄型の高精彩な表示装置が普及してきており、大画面壁掛けテレビによるホームシアターシステムが現実のものとなってきている。また、映像表示デバイス自体の薄型化・軽量化によりモニタの設置性や可搬性が大幅に向上する一方で、チューナやビデオデッキなどの映像信号源とモニタとの接続は相変わらずケーブル配線が必要であり、その設置性や可搬性のメリットが活かしきれていない。また、部屋の中に接続ケーブルが露出しているのは、インテリアとしても部屋の景観を損ねる恐れがある。そこで、液晶プロジェクタとパソコンなどとの接続においても接続ケーブルのワイヤレス化が望まれている。
【０００３】
映像伝送のワイヤレス化の従来例として、下記の特許文献１には、ＦＭの変復調を用いた赤外線ワイヤレス伝送技術により、高精彩映像の輝度信号Ｙ及び色差信号Ｐｂ、Ｐｒ及び音声信号Ｌ，Ｒをそれぞれ周波数分離し、ＦＭ変調などをかけ伝送する方法が提案されている。
【０００４】
【特許文献１】
特開２００２ー１５８９８０号公報
【０００５】
【発明が解決しようとする課題】
しかしながら、前記の従来システムでは、映像信号及び音声信号をそれぞれ周波数分離して変調をかけるため、周波数分離するためのフィルタ及び変調、復調するための回路が多数必要となり、回路の複雑化・大規模化の要因となっている。また、アナログの変復調による信号品質の劣化という問題もある。そこで、上記の問題を解決するために、映像信号及び音声データをサンプリングによりデジタル化するとともに、時間分割による多重化を行いシリアル伝送することで、高画質・高音質の映像・音声の伝送を実現することが考えられる。
【０００６】
しかしながら、映像信号及び音声データをデジタル化して光無線でシリアル伝送するためには非常に狭い指向角度で伝送する必要があるので、光送信機と光受信機の間に人が通過などして伝送が遮断されると、ディスプレイ側の再生音が途切れ、視聴者にとって非常に不快となるという問題点がある。
【０００７】
本発明は上記の問題点に鑑み、ディスプレイ側に設けられた光受信ユニットに対して、ディスプレイが出力するための映像及び音声信号を非常に狭い指向角度の光無線で光送信ユニットに送信する場合に、光送信ユニットと光受信ユニットの間の伝送が遮断されてもディスプレイ側の再生音が途切れることを防止することができる光無線映像伝送システムを提供することを目的とする。
【０００８】
【課題を解決するための手段】
本発明は上記目的を達成するために、映像及び音声信号を伝送する非常に狭い指向角度の光信号より広い指向角度の信号でバックアップ音声を送信するようにしたものである。
すなわち本発明によれば、ディスプレイ側に設けられた光受信ユニットと、この光受信ユニットに対して前記ディスプレイが出力するための映像及び音声信号を送信する光送信ユニットとを備えた光無線映像伝送システムであって、
前記光送信ユニットは、前記映像及び音声信号を指向角度の狭い光無線で送信する光送信手段と、前記音声信号をバックアップして送信するバックアップ音声送信手段とを、
有し、
前記光受信ユニットは、前記光送信手段から送信された光無線信号を受信する光受信手段と、前記バックアップ音声送信手段から送信された音声信号を受信するバックアップ音声受信手段と、前記光送信手段から送信された光無線信号が遮断されたか否かを判断して、遮断されていない場合に音声出力を前記光受信手段により受信された音声信号に切り替え、遮断されている場合に音声出力を前記バックアップ音声手段により受信された音声信号に切り替える手段とを有し、
前記バックアップ音声送信手段は、バックアップ音声信号を前記光送信手段より広い指向角度の光無線で送信し、前記バックアップ音声受信手段は、前記広い指向角度で送信された光無線信号を受信するよう構成されている光無線映像伝送システムが提供される。
【０００９】
また本発明によれば、ディスプレイ側に設けられた光受信ユニットと、この光受信ユニットに対して前記ディスプレイが出力するための映像及び音声信号を送信する光送信ユニットとを備えた光無線映像伝送システムであって、
前記光送信ユニットは、前記映像及び音声信号を光無線で送信する光送信手段と、前記音声信号をバックアップして送信するバックアップ音声送信手段とを、
有し、
前記光受信ユニットは、前記光送信手段から送信された光無線信号を受信する光受信手段と、前記バックアップ音声送信手段から送信された音声信号を受信するバックアップ音声受信手段と、前記光送信手段から送信された光無線信号が遮断されたか否かを判断して、遮断されていない場合に音声出力を前記光受信手段により受信された音声信号に切り替え、遮断されている場合に音声出力を前記バックアップ音声手段により受信された音声信号に切り替える手段とを有し、
前記バックアップ音声送信手段は、バックアップ音声信号を電波で送信し、前記バックアップ音声受信手段は、前記電波信号を受信するよう構成されている光無線映像伝送システムが提供される。
【００１０】
【発明の実施の形態】
以下、図面を参照して本発明の実施の形態について説明する。図１は本発明に係る光無線映像伝送システムの第１の実施の形態を示す概略構成図である。
【００１１】
図１では、ＶＴＲやＤＶＤプレーヤなどの映像再生装置１により再生された映像及び音声信号を送信ユニット１００によりデジタル化して光無線で送信し、これをテレビやプロジェクタやＰＤＰなどのディスプレイ２側に設けられた受信ユニット２００で受信してディスプレイ２に送信するように構成されている。
【００１２】
＜第１の実施の形態＞
図２、図３はそれぞれ、第１の実施の形態の送信ユニット１００、受信ユニット２００の主要部のブロック図である。図２において、送信ユニット１００は、映像再生装置１からの輝度信号Ｙ及び色差信号Ｐｂ、Ｐｒなどの映像信号をデジタルのシリアル映像信号として出力する映像シリアル化手段１０１と、映像再生装置１からの音声信号Ｌ，Ｒをサンプリングしてデジタルのシリアル音声信号として出力する音声シリアル化手段１０２と、映像シリアル化手段１０１及び音声シリアル化手段１０２からそれぞれ出力されるシリアルの映像及び音声信号を時間分割により多重化し、映像音声多重シリアル信号として出力する映像音声多重化手段１０３と、受信ユニット２００と光無線通信を行うため、ＬＥＤなどの赤外線もしくはアイセーフなＬＤを利用した光送信手段１０４とを備えている。
【００１３】
送信ユニット１００はまた、光送信手段１０４と受信ユニット２００（図３に示す光受信手段２０１）との光軸を合わせるため受信ユニット２００から送られてくるパイロット光を受信するパイロット光受信手段１０５と、パイロット光受信手段１０５からの光受信レベルを基に受信ユニット２００ヘの光軸合わせを制御するサーチ制御手段１０６と、サーボ機構などにより光送信手段１０４の方向を回転（パン、チルト）させるサーチ手段１０７を備えている。
【００１４】
図３に示す受信ユニット２００には、送信ユニット１００と光無線通信を行うため、ＰＤ（フォトディテクタ）などによる光受信手段２０１と、送信ユニット１００から送られてきた映像音声多重シリアル信号をシリアルの映像及び音声信号に分離し、それぞれをシリアル出力する映像音声分離手段２０２と、分離されたシリアル映像信号から輝度信号Ｙ及び色差信号Ｐｂ、Ｐｒなどの映像信号を再生する映像信号再生手段２０３と、再生された映像信号をディスプレイ２に表示する画像表示手段２０４と、映像音声分離手段により分離されたシリアル音声信号をアナログ信号に変換してスピーカー３などに出力する音声再生手段２０５を備えている。また、受信ユニット２００は、送信ユニット１００が光軸を合わせるためのパイロット光発光手段２０６を備えている。
【００１５】
上記構成では、通常、送信ユニット１００はチューナやビデオデッキなどの近傍に配置され、受信ユニット２００は壁掛けテレビの近傍に配置されることを想定している。このため、受信ユニット２００は家庭内などにおいていったん設置されると動かすことはなく、送信ユニット１００は家庭内などにおいて設置されても動かされることが多く、また、大容量の映像音声多重シリアル信号を伝送する。そこで、受信ユニット２００側の光受信手段２０１は比較的広い指向角度を有し、送信ユニット１００側の光送信手段１０４は比較的狭い指向角度を有し、光送信手段１０４の光軸を受信ユニット２００側の光受信手段２０１に自動的に合わせている。
【００１６】
＜第２の実施の形態＞
上記の第１の実施の形態では、大容量の映像音声多重シリアル信号を比較的狭い指向角度で伝送するので、送信ユニット１００−受信ユニット２００間に人が通過などして伝送が遮断されると、再生音が途切れ、視聴者にとって非常に不快となる。そこで、第２の実施の形態では、このような場合に備えて音声信号の伝送を冗長化して比較的広い指向角度で送信する。
【００１７】
図４、図５はそれぞれ、第２の実施の形態の送信ユニット１００ａ、受信ユニット２００ａの主要部のブロック図である。図４に示す送信ユニット１００ａには、図２に示す構成に対して、人などが光通信路を通過することによる通信の遮断に備え、バックアップ用の通信路として音声シリアル化手段１０２から出力されたシリアル音声信号を拡散発光する拡散発光送信手段１０８が追加されている。拡散発光は通信路の遮断に強く、光送信手段１０４の通信路が遮断された場合は、拡散発光の通信路に切り替えることで音声再生を続けることができる。他の構成は、図２に示す構成と同じであるので、説明を省略する。
【００１８】
図５に示す受信ユニット２００ａでは、図３に示す構成に対して、光受信手段２０１ａは送信ユニット１００ａ側の光送信手段１０４からの受信があるかないかを示すキャリアセンス出力を持っている。また、送信ユニット１００ａの拡散発光送信手段１０８からの音声データを受信する拡散光受信手段２０７と、光受信手段２０１ａのキャリアセンスにより、映像音声分離手段２０２により分離されたシリアル音声信号又は拡散光受信手段２０７の音声データに切り替える音声切り替え手段２０８が追加されている。他の構成は、図５に示す構成と同じであるので、説明を省略する。
【００１９】
なお、図４，図５に述べたバックアップ用通信路は、光通信による拡散発光であったが、これは微弱電波などの電波無線により実現してもよい。
【００２０】
【発明の効果】
以上説明したように本発明によれば、映像及び音声信号を伝送する非常に狭い指向角度の光信号より広い指向角度の信号でバックアップ音声を送信するようにしたので、ディスプレイ側に設けられた光受信ユニットに対して、ディスプレイが出力するための映像及び音声信号を非常に狭い指向角度の光無線で光送信ユニットに送信する場合に、光送信ユニットと光受信ユニットの間の伝送が遮断されてもディスプレイ側の再生音が途切れることを防止することができる。
【図面の簡単な説明】
【図１】本発明に係る光無線映像伝送システムの第１の実施の形態を示す概略構成図である。
【図２】図１の送信ユニットの主要部を詳しく示すブロック図である。
【図３】図１の受信ユニットの主要部を詳しく示すブロック図である。
【図４】本発明の第２の実施の形態の送信ユニットの主要部を詳しく示すブロック図である。
【図５】本発明の第２の実施の形態の受信ユニットの主要部を詳しく示すブロック図である。
【符号の説明】
１  映像再生装置
２  ディスプレイ
３  スピーカー
１００、１００ａ  送信ユニット
１０１  映像シリアル化手段
１０２  音声シリアル化手段
１０３  映像音声多重化手段
１０４  光送信手段
１０５  パイロット光受信手段
１０６  サーチ制御手段
１０７  サーチ手段
１０８  拡散発光送信手段
２００、２００ａ  受信ユニット
２０１、２０１ａ  光受信手段
２０２  映像音声分離手段
２０３  映像信号再生手段
２０４  画像表示手段
２０５  音声再生手段
２０６  パイロット光発光手段
２０７  拡散光受信手段
２０８  音声切り替え手段
【図１】
2004159234.tif 000003
【図２】
2004159234.tif 000004
【図３】
2004159234.tif 000005
【図４】
2004159234.tif 000006
【図５】
2004159234.tif 000007